【手続補正書】
【提出日】平成25年6月18日(2013.6.18)
【手続補正１】
【補正対象書類名】特許請求の範囲
【補正対象項目名】全文
【補正方法】変更
【補正の内容】
【特許請求の範囲】
【請求項１】
注出可能な食品の密封パッケージ（１）を製造するためのシート・パッケージ材料（Ｍ）であって、
剛性を与えるための少なくとも１つのベース層（１１）と、
前記ベース層（１１）に付着され、前記ベース層（１１）を覆う少なくとも１つのラミネート層（１２）と、
前記パッケージ（１）から前記食品を注ぐための注出口（９）を開けるように、使用時に、少なくとも１つの円弧形の切断線（２０、２０’’’’’）に沿って、前記パッケージ材料（Ｍ）の残りの部分から一部を除去し、前記切断線（２０、２０’’’’’）の反対側の端部の間を延びる折り畳み領域（２１、８１）で折り畳むことができる脱着可能部分（１０、１０’、１０’’、１０’’’、１０’’’’、１０’’’’’）とを含むパッケージ材料において、
前記脱着可能部分（１０、１０’、１０’’、１０’’’、１０’’’’、１０’’’’’）が、
パッケージ材料全体から形成された中心部分（２５）であって、使用時に、どのような場合にも、前記折り畳み領域（２１、８１）によって画定される永久ブリッジ（２６）を通して前記パッケージ材料（Ｍ）の残りの部分に取り付けられたままとなる中心部分（２５）と、
前記中心部分（２５）の一部の周りを延び、前記切断線（２０、２０’’’’’）を含み、少なくとも前記ベース層（１）に設けられ、前記少なくとも１つのラミネート層（１２）によって覆われる貫通スロット（３１、３１’、３１’’、３１’’’、３１ａ’’’’、３１ｂ’’’’、３１ｃ’’’’、３１’’’’’）によって形成された、少なくとも１つのプレラミネートされた開口（３０、３０’、３０’’、３０’’’、３０ａ’’’’、３０ｂ’’’’、３０ｃ’’’’、３０’’’’’）を含む、切断相互作用のための周辺部分（２７、２７’、２７’’、２７’’’、２７’’’’、２７’’’’’）とを含むことを特徴とするパッケージ材料。
【請求項２】
前記永久ブリッジ（２６）が、前記脱着可能部分（１０、１０’、１０’’、１０’’’、１０’’’’）の折り畳み中に蝶番として作用する、請求項１に記載のパッケージ材料。
【請求項３】
前記切断相互作用のための周辺部分（２７、２７’、２７’’、２７’’’、２７’’’’）が、前記中心部分（２５）に面する１つの凹部を有する、開いた曲線の細長片によって画定される、請求項１又は２に記載のパッケージ材料。
【請求項４】
前記切断相互作用のための周辺部分（２７、２７’）が前記プレラミネートされた開口（３０、３０’）によって完全に画定される、請求項１から３のいずれか一項に記載のパッケージ材料。
【請求項５】
前記スロット（３１、３１’）が、前記中心部分（２５）に隣接する第１の縁部（３２）及び前記第１の縁部（３２）に対向して面する第２の縁部（３３）を有し、前記第１の縁部（３２）と前記第２の縁部（３３）との間で測定された前記スロット（３１、３１’）の幅（Ｗ）が、０．５ｍｍ〜６ｍｍの範囲である、請求項１から４のいずれか一項に記載のパッケージ材料。
【請求項６】
前記切断線（２０）の湾曲中心（Ｇ）から測定した前記スロット（３１、３１’）の第１及び第２の端部（３６、３７）の接線が、１０度〜１６０度の範囲である第１の角度（α）を間に画定する、請求項１から５のいずれか一項に記載のパッケージ材料。
【請求項７】
前記第１の角度（α）の二等分線（Ｚ）及び、前記スロット（３１、３１’）を設けるために前記パッケージ材料（Ｍ）が装置に供給される方向（Ｌ）が、４５度〜１３５度の範囲である第２の角度（β）を間に画定する、請求項６に記載のパッケージ材料。
【請求項８】
前記プレラミネートされた開口（３０’）及び前記スロット（３１’）が円弧形であり、前記切断線（２０）と同じ湾曲中心を有する、請求項１から７のいずれか一項に記載のパッケージ材料。
【請求項９】
前記スロットの幅（Ｗ）が１ｍｍ〜６ｍｍの範囲である、請求項５から８のいずれか一項に記載のパッケージ材料。
【請求項１０】
前記ベース層（１１）の両面に付着され、前記ベース層（１１）の両面を覆う２つのラミネート層（１２）を含み、前記ラミネート層（１２）が、ラミネーション中に、前記スロット（３１）を通って互いに封止される、請求項１から９のいずれか一項に記載のパッケージ材料。
【請求項１１】
前記スロット（３１’）の幅（Ｗ）が、切断相互作用が可能な最小値に維持される、請求項５から８のいずれか一項に記載のパッケージ材料。
【請求項１２】
前記スロット（３１’）の幅（Ｗ）が０．５ｍｍ〜０．９ｍｍの範囲である、請求項１１に記載のパッケージ材料。
【請求項１３】
前記切断相互作用のための周辺部分（２７’’）が、パッケージ材料全体の他のブリッジ（７０）とそれぞれ交互にされ、前記中心部分（２５）と結合され、使用時に完全に切り離される、一連の前記プレラミネートされた開口（３０’’）を含む、請求項１から３のいずれか一項に記載のパッケージ材料。
【請求項１４】
前記他のブリッジ（７０）が前記切断線（２０）と交差する、請求項１３に記載のパッケージ材料。
【請求項１５】
前記永久ブリッジ（２６）が、前記パッケージ材料（Ｍ）のラミネーション方向（Ｌ）と交差する方向に沿って、前記中心部分（２５）から前記パッケージ材料（Ｍ）の残りの部分へと延びる、請求項１から１４のいずれか一項に記載のパッケージ材料。
【請求項１６】
前記切断相互作用のための周辺部分（２７’’’、２７’’’’、２７’’’’’）が、前記中心部分（２５）に結合されたパッケージ材料全体の前記永久ブリッジ（２６）及び別のブリッジ（７１、７２、７４）によって互いに隔てられた、２つの前記プレラミネートされた開口（３０’’’；３０ａ’’’’、３０ｂ’’’’、３０ｃ’’’’、３０’’’’’）を含む、請求項１に記載のパッケージ材料。
【請求項１７】
前記別のブリッジ（７１、７２）が、前記切断線（２０）と完全に交差する貫通可能なブリッジである、請求項１６に記載のパッケージ材料。
【請求項１８】
前記別のブリッジ（７４）が永久ブリッジであり、２つの前記円弧形の切断線（２０’’’’’）がそれぞれのプレラミネートされた開口（３０’’’’’）内に完全に含まれる、請求項１６に記載のパッケージ材料。
【請求項１９】
前記永久ブリッジ（２６）及び前記別のブリッジ（７１、７２、７４）が、前記パッケージ材料（Ｍ）のラミネーション方向（Ｌ）に平行な軸（Ｂ）に沿って配置される、請求項１６から１８のいずれか一項に記載のパッケージ材料。
【請求項２０】
前記永久ブリッジ（２６）が前記周辺部分（２７’’’、２７’’’’）に沿って前記別のブリッジ（７１、７２）より長い長さを延び、前記ラミネーション方向（Ｌ）が前記永久ブリッジ（２６）から前記別のブリッジ（７１、７２）へ向かう、請求項１９に記載のパッケージ材料。
【請求項２１】
前記切断相互作用のための周辺部分（２７’’’’）が、少なくとも前記ベース層（１１）に設けられ、前記ラミネート層（１２）で外側が覆われた貫通スロット（３１ｂ’’’’、３１ｃ’’’’）によって形成される第３のプレラミネートされた開口（３０ｂ’’’’、３０ｃ’’’’）と、
前記別のプレラミネートされた開口（３０ｂ’’’’、３０ｃ’’’’）と前記第３のプレラミネートされた開口（３０ｃ’’’’、３０ｂ’’’’）との間に配置され、前記中心部分（２５）に結合され、前記プレラミネートされた開口（３０ａ’’’’）に面するように、前記永久ブリッジ（２６）と前記別のブリッジ（７２）を連結する軸（Ｂ）の一方の側に配置された、パッケージ材料全体の第３の完全に切り離し可能なブリッジ（７３）とを含む、請求項１６に記載のパッケージ材料。
【請求項２２】
前記切断線（２０）が前記別のプレラミネートされた開口（３０ｂ’’’’）及び前記第３のプレラミネートされた開口（３０ｃ’’’’）と交差する、請求項２１に記載のパッケージ材料。
【請求項２３】
前記脱着可能部分（１０、１０’’’、１０’’’’、１０’’’’’）の前記中心部分（２５）内の前記切断線（２０）の前記湾曲中心（Ｇ）に印刷し、又は折り目を付けた参照記号（３５）をさらに含む、請求項１から２２のいずれか一項に記載のパッケージ材料。
【請求項２４】
前記パッケージ（１）を形成するように前記パッケージ材料（Ｍ）を折り畳むための複数の折り畳み線（１６、１７、１８）を含み、前記脱着可能部分（１０、１０’、１０’’、１０’’’、１０’’’’、１０’’’’’）が前記折り畳み線（１６、１７、１８）の１つ（１６）と交差する、請求項１から２３のいずれか一項に記載のパッケージ材料。
【請求項２５】
前記脱着可能部分（１０、１０’、１０’’、１０’’’、１０’’’’、１０’’’’’）と交差する前記折り畳み線（１６）が、前記パッケージ材料（Ｍ）の２つの部分を分離して、互いに交差するように、前記パッケージ（１）の壁部（５、７）を最終的に画定する、請求項２４に記載のパッケージ材料。
【請求項２６】
前記ラミネート層（１２）がヒート・シール・プラスチック材料の層（１２ｂ）及び酸素バリア材料の層（１２ａ）を含む、請求項１から２５のいずれか一項に記載のパッケージ材料。
【請求項２７】
請求項１から２６のいずれか一項に記載のパッケージ材料（Ｍ）を折り畳み、封止することによって形成され、軸（Ａ）を有する再閉鎖可能な開口具（４）を含む、注出可能な食品のための密封パッケージであって、
前記脱着可能部分（１０、１０’、１０’’、１０’’’、１０’’’’）の周りに嵌め込まれ、注ぎ口（４１）を画定するフレーム（４０）と、
前記注ぎ口（４１）を閉じるように、前記フレーム（４０）にねじ締めされる脱着可能なねじ山付きキャップ（４２）と、
前記パッケージ（１）を開封し、前記注出口（９）を画定するように、前記注ぎ口（４１）に係合し、一方の軸方向端部に前記脱着可能部分（１０、１０’、１０’’、１０’’’、１０’’’’）の前記周辺部分（２７、２７’、２７’’、２７’’’、２７’’’’）と協働する切断手段（６０）を有する筒状カッター（４３）と、
前記キャップ（４２）を前記カッター（４３）に連結し、使用時に、前記キャップ（４２）が前記フレーム（４０）から緩められると、前記カッター（４３）に回転推力を加える第１の連結手段（４４）と、
前記フレーム（４０）を前記カッター（４３）に連結し、使用時に、前記キャップ（４２）が緩められると、前記脱着可能部分（１０、１０’、１０’’、１０’’’、１０’’’’）の前記周辺部分（２７、２７’、２７’’、２７’’’、２７’’’’）を通るあらかじめ定められた切断経路に沿って、前記カッター（４３）を送り出す第２の連結手段（４５）とを含む密封パッケージ。
【請求項２８】
注出可能な食品を含む密封パッケージ（１）を形成するように折り畳むことができる、複数の折り畳み線（１６、１７、１８）を有するシート・パッケージ材料（Ｍ）であって、
剛性を与えるための少なくとも１つのベース層（１１）と、
前記ベース層（１１）に付着され、前記ベース層（１１）を覆う少なくとも１つのラミネート層（１２）と、
前記パッケージ（１）から前記食品を注ぐための注出口（９）を開けるように、使用時に、前記パッケージ材料（Ｍ）の残りの部分から一部を除去し、折り畳み領域で折り畳むことができる脱着可能部分（１０、１０’、１０’’、１０’’’、１０’’’’、１０’’’’’、１００）とを含み、
前記脱着可能部分（１０、１０’、１０’’、１０’’’、１０’’’’、１０’’’’’、１００）が、少なくとも前記ベース層（１１）に形成され、被覆材料（１２、１０３）によって覆われた少なくとも１つの開口部（３１、３１’、３１’’、３１’’’、３１ａ’’’’、３１ｂ’’’’、３１ｃ’’’’、３１’’’’’、１０２）を含むパッケージ材料において、
前記脱着可能部分（１０、１０’、１０’’、１０’’’、１０’’’’、１０’’’’’、１００）が、使用時に前記パッケージ（１）の２つの壁部（５、７）の間に縁部（２４）を画定する、前記折り畳み線（１６、１７、１８）の１つ（１６）と交差することを特徴とするパッケージ材料。
【請求項２９】
前記脱着可能部分（１０、１０’、１０’’、１０’’’、１０’’’’、１０’’’’’、１００）と交差する前記折り畳み線（１６、１７、１８）の１つの（１６）が、前記パッケージ材料（Ｍ）の２つの部分を分離して、前記パッケージ（１）の傾斜した壁部（５、７）を最終的に画定する、請求項２８に記載のパッケージ材料。
【請求項３０】
前記折り畳み線（１６、１７、１８）が、パッケージ（１）へと折り畳まれたとき、前記脱着可能部分（１００）の部分に、１００度〜１１０度の前記傾斜した壁部（５、７）の間の角度を形成するように構成された、請求項２９に記載のパッケージ材料。
【請求項３１】
前記脱着可能部分（１００）が、前記折り畳み線（１６、１７、１８）の１つ（１６）によって、使用時に前記パッケージ（１）の前記個別の壁部（５、７）上にそれぞれ位置する第１及び第２の領域（１００ａ、１００ｂ）に分割され、前記第２の領域（１００ｂ）は前記第１の領域（１００ａ）より小さく、前記折り畳み領域を画定し、使用時に、注出口（９）を開けるように前記脱着可能部分（１００）を折り畳み中に蝶番として作用する、請求項２８から３０のいずれか一項に記載のパッケージ材料。
【請求項３２】
前記開口部（１０２）が前記脱着可能部分（１００）の全体を囲む、請求項２８から３１のいずれか一項に記載のパッケージ材料。
【請求項３３】
前記開口部（１０２）及び前記脱着可能部分（１００）が円形又は楕円形であり、前記折り畳み線（１６、１７、１８）の１つ（１６）が前記脱着可能部分（１００）の弦を画定する、請求項３２に記載のパッケージ材料。
【請求項３４】
前記弦に垂直に測定した、前記脱着可能部分（１００）の中心（Ｇ）から前記弦までの距離が、前記中心（Ｇ）から前記折り畳み線（１６）の反対側へ、前記弦に垂直に測定した、前記中心（Ｇ）から脱着可能部分（１００）の縁部までの距離の約５０〜８５パーセントである、請求項３３に記載のパッケージ材料。
【請求項３５】
前記被覆材料（１０３）が、前記ベース層（１１）に形成された前記開口部（１０２）を覆う前記ラミネート層（１２）の１つ又は複数によって画定される、請求項２８から３４のいずれか一項に記載のパッケージ材料。
【請求項３６】
前記被覆材料（１０３）が、前記開口部（１０２）を封止するように前記パッケージ材料（Ｍ）に付着されたパッチによって画定される、請求項２８から３５のいずれか一項に記載のパッケージ材料。
【請求項３７】
請求項２８から３４のいずれか一項に記載のパッケージ材料（Ｍ）を折り畳み、封止することによって形成される注出可能な食品のための密封パッケージ（１）であって、前記壁部が前記パッケージ（１）の上面壁（５）及び側面又は前面壁（７）である密封パッケージ。
【請求項３８】
前記脱着可能部分（１００）の前記第１の領域（１００ａ）が前記上面壁（５）に配置され、前記第２の領域（１００ｂ）が前記側面又は前面壁（７）に配置される、請求項３７に記載のパッケージ。
【手続補正２】
【補正対象書類名】明細書
【補正対象項目名】０１５９
【補正方法】変更
【補正の内容】
【０１５９】
図１３〜１６に示す解決策では、パッケージ１の隣接する傾斜した側面壁７上の脱着可能部分１００の延長部から形成される湾曲によって、開口具が非常に単純な設計であっても、パッケージ１の最初の開口中に完全に切り離される危険性を最小限にすることができる。図１３及び１４に示す実施例では、上面パネル５は下面パネル６に実質的に平行であり、前面パネル７の上側部分７ｂは前面パネルの主要部分に対して傾斜している。これにより、上面パネル５と前面パネルの上側部分７ｂとの間の角度は９０度より大きく、図示された実施例では約１０６度である。脱着可能部分１００が位置するパネル間の角度が９０度より大きいことにより、脱着可能部分１００の折り畳みが減少し、従って脱着可能部分への応力が減少する。従って、いくつかの実施例では、パッケージへと折り畳まれたとき、上面パネル５と側面壁７の上側部分７ｂとの間の角度が９５〜１１５度の範囲、又は１００〜１１０度の範囲であることが想定される。